(57)【要約】【課題】動画像が記録されたディスク記録媒体において、動画像データの管理方法と同じ方法で代表静止画データを管理することができ、複数の代表静止画を高速に読み出すことができるようにする。【解決手段】動画像データが記録された領域（Ｔ１〜Ｔｎ）と、該動画像データを管理するためのデータが記録された領域（５１）とを有するディスク記録媒体において、動画像データの代表静止画（Ｒ２、Ｒ３、…Ｒｎ）が動画像データ（Ｔ２、Ｔ３、…Ｔｎ）と同じ形式でかつ一つのデータとして記録されている。代表静止画データを記録するための予約領域（Ｒｒ）を予め設けておく。予約領域（Ｒｒ）は、動画像データを記録する領域よりも前の位置に配置されている。【選択図】        図２
2004328197.tif 000002
【特許請求の範囲】
【請求項１】
一つ又は複数の動画像データが記録された領域と、
該動画像データを管理するためのデータが記録された領域と
を有するディスク記録媒体において、
一つ又は複数の動画像データの代表静止画が動画像データと同じ形式でかつ一つのデータとして記録されていることを特徴とするディスク記録媒体。
【請求項２】
前記代表静止画データを記録するための予約領域が予め設けられていることを特徴とする請求項１に記載のディスク記録媒体。
【請求項３】
前記予約領域が、動画像データを記録する領域よりも、前の位置に配置されていることを特徴とする請求項２に記載のディスク記録媒体。
【請求項４】
前記一つ又は複数の動画像データの代表静止画の各々が同じ内容のフレームを繰り返すことにより形成された所定の再生時間長の動画像データとして記録されていることを特徴とする請求項１に記載のディスク記録媒体。
【請求項５】
一つ又は複数の動画像データをディスク記録媒体に記録する記録方法であって、
動画像データを前記ディスク記録媒体に記録するステップと、
前記動画像データから、前記動画像データ代表する代表静止画を抽出するステップと、
抽出した代表静止画データを動画像データと同じ形式に変換するステップと、
動画像データに変換された複数の代表静止画を一つのデータとしてディスクに記録するステップと
を備えたことを特徴とするディスク記録方法。
【請求項６】
該動画像データの代表静止画を記録するための予約領域を予め設けるステップを
さらに有することを特徴とする請求項５に記載のディスク記録方法。
【請求項７】
前記抽出した代表静止画を動画像データと同じ形式に変換するステップが、代表静止画と同じ内容のフレームを繰り返すことを含むことを特徴とする請求項５に記載のディスク記録方法。
【請求項８】
一つ又は複数の動画像データをディスク記録媒体に記録するディスク記録装置において、
一つ又は複数の動画像データを前記ディスク記録媒体に記録する手段と、
前記動画像データから、前記動画像データを代表する代表静止画を抽出する手段と、
抽出した代表静止画データを該動画像データと同じ形式でかつ一つのデータとして記録する手段と
有するディスク記録装置。
【請求項９】
該動画像データの代表静止画を記録するための予約領域を予め設ける手段を
さらに有することを特徴とする請求項８に記載のディスク記録装置。
【請求項１０】
前記抽出した代表静止画を動画像データと同じ形式に変換する手段が、代表静止画と同じ内容のフレームを繰り返すことを特徴とする請求項８に記載のディスク記録装置。
【請求項１１】
請求項１に記載されたディスク記録媒体を再生するディスク再生方法において、
該動画像データを再生するステップと、
前記代表静止画を再生するステップと
を有することを特徴とするディスク再生方法。
【請求項１２】
前記代表静止画を再生するステップが、複数の代表静止画をメニュー表示することを含むことを特徴とする請求項１１に記載のディスク再生方法。
【請求項１３】
請求項４に記載されたディスク記録媒体を再生するディスク再生方法において、
該動画像データを再生するステップと、
前記代表静止画を再生するステップと
を有し、
前記代表静止画を再生するステップが、前記一つのデータとして記録された複数の代表静止画を順次再生することを含むことを特徴とするディスク再生方法。
【請求項１４】
請求項１に記載のディスク記録媒体を再生するディスク再生装置において、
前期動画像データを再生する手段と、
前記代表静止画を再生する手段と
を有することを特徴とするディスク再生装置。
【請求項１５】
前記代表静止画を再生する手段が、複数の代表静止画をメニュー表示するものであることを特徴とする請求項１４に記載のディスク再生装置。
【請求項１６】
請求項４に記載されたディスク記録媒体を再生するディスク再生装置において、
前記動画像データを再生する手段と、
前記代表静止画を再生する手段と
を有し、
前記代表静止画を再生する手段が、前記一つのデータとして記録された複数の代表静止画を順次再生すること特徴とするディスク再生装置。
【発明の詳細な説明】
【０００１】
【発明の属する技術分野】
本発明は、ディスク記録媒体、その記録方法及び装置、及びその再生方法及び装置に関し、特に、ディスク記録媒体に、映像などの動画像データを記録するとともに、それら記録した動画像データの代表となる静止画をあわせて記録する方法及び装置、そのようにして記録されたディスク記録媒体の再生方法及び装置に関する。
【０００２】
【従来の技術】
従来、記録した動画像データを代表する静止画を再生して表示する方法として、動画像データを管理する領域に、動画像データ内の一画面を指し示すアドレスを記録しておき、このアドレスで指定されたデータを再生することによって代表静止画を表示することが知られている（例えば、特許文献１参照）。また、ディスク内に代表静止画を専用に記録する領域を設け、高速に代表静止画を表示させることも知られている（例えば、特許文献２および特許文献３参照）。
【０００３】
【特許文献１】
特開２００２−１９１０３１公報（第３頁、図１）
【特許文献２】
特開２０００−３２２８７３公報（第５頁、図２）
【特許文献３】
特開２０００−２３６４９６公報（第６−７頁、図１）
【０００４】
【発明が解決しようとする課題】
上記のうち、動画像データ内の一画面を指し示すアドレスを記録しておき、このアドレスで指定されたデータを再生することによって代表静止画を表示させる方式においては、代表静止画のディスク上の位置を記録する領域を設けておく必要があった。また複数の動画像データの代表静止画を記録する場合は、複数の動画像データと代表静止画の、ディスク上の物理的位置が、互いに連続しておらず、散在していることが多く、複数の代表静止画データを読み出すためには長い時間を必要とした。
【０００５】
一方、代表静止画を記録する専用領域を予め設けておく方式においては、そのような専用領域を設けておく必要があり、また代表静止画をこの領域に記録および再生するために、動画像データと別の管理をする必要があった。さらにこのようにして記録されたディスクは、全く同じ代表静止画を記録再生する方法を有するディスク再生装置でしか動画像データの代表静止画を再生することができないという問題があった。
【０００６】
この発明は、上述のような課題を解消するためになされたもので、動画像データの管理方法と同じ方法で代表静止画データを管理することができるとともに、複数の代表静止画を高速に読み出すことができるようにすることを目的とする。
【０００７】
【課題を解決するための手段】
この発明は、
一つ又は複数の動画像データが記録された領域と、
該動画像データを管理するためのデータが記録された領域と
を有するディスク記録媒体において、
一つ又は複数の動画像データの代表静止画が動画像データと同じ形式でかつ一つのデータとして記録されていることを特徴とするディスク記録媒体を提供するものである。
【０００８】
【発明の実施の形態】
実施の形態１．
図１はこの発明の実施の形態の一例を示すディスク記録媒体の構造を示す。本実施の形態では、ディスク記録方式としてＤＶＤ−Ｖｉｄｅｏ  Ｒｅｃｏｒｄｉｎｇ（以降ＤＶＤ−ＶＲ）規格やＤＶＤ−Ｖｉｄｅｏ規格に準じた構成を想定し、また動画像データの形式についてはＭＰＥＧ−２規格に沿ったものとして説明する。
【０００９】
図示のように、このディスク記録媒体５０は、管理データ領域５１と、動画記録領域５２とを有する。動画記録領域５２は、複数のタイトル（１）乃至（ｎ）のための領域Ｔ１乃至Ｔｎを有する。
【００１０】
タイトル（２）乃至（ｎ）を記録する領域Ｔ２乃至Ｔｎには、それぞれ動画像データが記録されている。
タイトル（１）を記録する領域Ｔ１には、タイトル（２）乃至（ｎ）の代表静止画を記録する領域Ｒ２乃至Ｒｎが含まれる。領域Ｔ１内の、いまだ代表静止画が記録されていない部分は予約領域Ｒｒである。
【００１１】
これらの領域Ｒ２乃至Ｒｎには、それぞれタイトル（２）乃至（ｎ）の代表静止画が所定の時間長（例えば１０秒程度の再生時間）を持ったＭＰＥＧ−２の動画として記録されている。
【００１２】
管理データ領域５１は、ディスクに係るデータ構造などのディスク一般情報等を記録する領域６１、ディスク内に記録されているタイトルに関するタイトル名や録画時間等のタイトル情報を記録する領域６２、検索やスキップによる移動先として規定されているタイムエントリ情報を記録する領域６３を含む。
【００１３】
タイムエントリ情報を記録する領域６３には、タイトル（１）のタイムエントリ情報を記録する領域ＴＥ１、タイトル（２）のタイムエントリ情報を記録する領域ＴＥ２、…タイトル（ｎ）のタイムエントリ情報を記録する領域ＴＥｎ（図示しない）が設けられている。
【００１４】
タイトル（１）のタイムエントリ情報を記録する領域ＴＥ１には、タイトル（１）内のエントリポイントＥＲ２乃至ＥＲｎを示す情報が記録されている。
これらのエントリポイントＥＲ２乃至ＥＲｎは、タイトル（１）内に記録されているタイトル（２）乃至（ｎ）の代表静止画Ｒ２乃至Ｒｎの記録位置を指すものであり、例えばディスク上のアドレス情報から成る。
【００１５】
図２はこの発明の実施の形態のディスク記録再生装置を示す。
ビデオ入力１は記録しようとする動画像データを装置外部からの取り込みを行う。
ビデオエンコーダ２はビデオ入力１によって取り込まれた動画像データをＭＰＥＧ−２に圧縮するとともにＤＶＤ−ＶＲ規格に沿った動画像データを出力する。
フレームメモリ３はビデオエンコーダ２が圧縮過程において一時的に画像データを蓄える。
【００１６】
静止画抽出器４はフレームメモリ３から、動画像データを代表する静止画を、代表静止画として抽出する。
動画像変換器５は静止画を、所定の再生時間、例えば１０秒の再生時間の長さを持つ動画像データに変換する。この変換は、抽出された静止画と同じ内容のフレームを繰り返すことにより行われる。
静止画用エンコーダ６は、ビデオエンコーダ２と同じく動画像データをＭＰＥＧ−２に圧縮する。
【００１７】
エントリポイント挿入器７は入力された動画像データに関してのエントリポイントを設定する。
システム制御部３０は、例えばソフトウエアで実現される初期化手段３１を有する。
【００１８】
入力切換スイッチ１７は、録画制御部８に制御されて、ビデオエンコーダ２からの出力と、エントリポイント挿入器７からの出力と、初期化手段３１からの出力を受けて、これらのいずれかを選択してディスクドライブ９へ出力する。
【００１９】
ディスクドライブ９はディスク２０に対して初期化、記録および再生を行う。
ディスクドライブ９に設置された信号処理部１６は入力された信号をディスク２０に書き込むためにデータ変換を行ったり、ディスク２０から読み出されたデータを出力するためにデータ変換を行ったりする。
【００２０】
信号切換スイッチ１８は、ディスクドライブ９内に設けられたものであり、録画制御部８に制御されて、ディスクへの書き込み又は読み込みデータの対象を切換えるためのスイッチであり、例えばソフトウェアで実現される。記録に際し、信号切換スイッチ１８は、ディスクドライブ９の信号処理部１６に入力された動画像データを指定されたタイトル番号のタイトルとして記録するため、及び管理データ領域５１に管理データを記録するために、必要な切換えを行うために用いられる。
【００２１】
録画制御部８はビデオエンコーダ２、静止画抽出器４、入力切換スイッチ１７、ディスクドライブ９を制御し、ビデオ入力の録画を実行する。
【００２２】
最初に初期化について説明する。ディスクドライブ９に書き換え可能でフォーマットされていないディスクが挿入されると、初期化手段３１は、所定のフォーマットに基づいて初期化を行い、ファイル管理領域５１とデータ記録領域５２を作成する。管理データを記録する領域（ファイル管理領域）５１を、ディスク一番内周側（再生の際、最初にアクセスされる側）に形成し、ファイル管理領域５１に続けてデータ記録領域５２の先頭部分にタイトル（１）のための記録領域Ｔ１を形成する。ここで言う「データ記録領域５２の先頭部分」は、再生の際、データ記録領域５２の中で最初にアクセスされる部分を意味する。
【００２３】
データ記録領域５２のうち、タイトル（１）のための記録領域Ｔ１以外の部分が、タイトル（２）乃至（ｎ）のための記録領域Ｔ２乃至Ｔｎとして利用される。従って、領域Ｔ１は、領域Ｔ２乃至Ｔｎよりも前に配置されている。
【００２４】
次に、録画について説明する。録画を実行する場合、ビデオ入力１に入力された動画像データはビデオエンコーダ２によってＭＰＥＧ−２に圧縮される。さらにビデオエンコーダ２で圧縮された動画像データはディスクドライブ９によってディスク２０に記録される。
【００２５】
初期化されたばかりのディスクの場合には、最初の動画像データはタイトル（２）として領域Ｔ２に記録される。またディスク２０の管理データ５１には、領域Ｔ２に記録されたタイトル（２）の録画時間、圧縮モード、タイトル名等の付随情報が記録される。
【００２６】
ビデオエンコーダ２は、録画制御部８に制御されて、動画像データをＭＰＥＧ−２に圧縮する圧縮過程において、圧縮対象となるフレームのデータをフレームメモリ３に一旦記録する。記録されたフレームデータは次のフレームの圧縮過程において、差分を計算するための参照対象として、再度ビデオエンコーダ２に取り込まれる。
【００２７】
静止画抽出部４は、録画制御部８に制御されて、入力された動画像データ内の１画面、即ち特定のフレームデータを代表静止画として、フレームメモリ３から抜き出す。
【００２８】
動画像変換器５は静止画抽出器４で抜き出された代表静止画を予め設定された時間、例えば１０秒の動画像データに変換する。この変換は、代表静止画と同じフレームのデータを繰り返すことにより行われる。この変換によって代表静止画は予め設定された時間である１０秒の再生時間を持つスチル映像になる。
【００２９】
静止画用エンコーダ６はスチル映像に変換された代表静止画をＭＰＥＧ−２に圧縮するとともにＤＶＤ−ＶＲ規格に沿った動画像データに変換する。
【００３０】
エントリポイント挿入器７は、静止画用エンコーダ６の出力に、ＤＶＤ−ＶＲ規格に沿ったエントリポイントを設定する。エントリポイントは動画像データの特定の箇所を示すアドレス値であり、動画像データの検索やジャンプにおいて利用される。代表静止画が記録されたタイトル（１）についてのエントリポイントは、タイトル（１）の記録された領域Ｔ１内の、当該代表静止画の先頭位置を示す。
【００３１】
タイトル（２）乃至（ｎ）の各々の動画像データが領域Ｔ２乃至Ｔｎに記録される度に、各動画像データの代表静止画が領域Ｔ１内に記録され、各代表静止画の先頭位置を示すエントリーポイント（ＥＲ２乃至ＥＲｎ）が領域ＴＥ１内に記録される。
【００３２】
録画制御部８は、入力切換スイッチ１７及び信号切換スイッチ１８を制御する。即ち、録画制御部８は、動画像データをタイトルとしてディスク２０に記録するときは入力切換スイッチ１７を１７ａ側にするとともに、信号切換スイッチ１８をＳＷ２、…、ＳＷｎ側に設定する。一方でエントリポイント挿入器７から出力された代表静止画からなる動画像データを記録する場合は、入力切換スイッチ１７を１７ｂ側にするとともに、信号切換スイッチ１８をＳＷ１側に設定する。さらに、エントリポイントなどの管理データを管理データ領域５１に記録する場合は、入力切換スイッチ１７を１７ｂ側にするとともに、信号切換スイッチ１８をＳＷ０側に設定する。
【００３３】
このように入力切換スイッチ１７と信号切換スイッチ１８を切換えることによって、動画像データをタイトル（２）以降に順次記録するとともに、動画像データの代表静止画を１０秒の時間長をもった動画像データとしてタイトル（１）を記録する領域Ｔ１内に順次記録し、管理データ領域５１に対応する管理データを記録する。よってタイトル（１）を記録する領域Ｔ１内にはタイトル（２）の代表静止画Ｒ２、タイトル（３）の代表静止画Ｒ３等と動画像データであるタイトルに対応した複数の代表静止画が記録され、管理データ領域５１には、それぞれのタイトルに対応した管理データが記録されることになる。
【００３４】
またタイトル（１）の領域Ｔ１には予め予約領域Ｒｒが確保されている。予約領域Ｒｒはタイトルが何も記録されていないときはタイトル（１）の領域Ｔ１はすべて予約領域Ｒｒとして設定されている。予約領域Ｒｒはタイトルが記録されるたびに記録された代表静止画分だけサイズが減少する。ここで、本実施例ではＤＶＤ−ＶＲ規格に準じて説明しているので、通常最大９９個のタイトルを記録することができるが、本実施例では代表静止画を動画像データとしてタイトル（１）の領域Ｔ１に記録する構成をとっているため、動画像データとしては９８個記録することができる。よってタイトル（１）に割り当てられる領域Ｔ１も最大９８個の静止画を記録する容量があればよい。
【００３５】
上記の動作、特に動画像データをディスクに書き込みながら、動画像データの一画面を代表静止画として取り込み、さらに動画に変換し、動画像データとしてディスクに書き込む手順を、図３のフローチャートを参照して説明する。
【００３６】
記録がスタート（ステップＳ１）すると動画像データをＭＰＥＧ−２にエンコードするステップが開始される（ステップＳ２）。次にエンコードしている動画像が代表静止画であるか否かを判断する（ステップＳ３）。エンコードしている動画像が代表静止画でない場合、エンコードしたデータをディスクに書き込む（ステップＳ５）。次にエンコードを終了するか否かを判定するためにデータエンドか否かを判断する（ステップＳ６）。データエンドでない場合は動画像エンコードを実行するステップ（Ｓ２）に戻る。またステップＳ３でエンコードしている動画像が代表静止画である場合、動画像データの一画面を静止画として抽出する（ステップＳ４）。抽出した静止画は静止画抽出器４内のメモリ４ａに保持しておく。その後ステップＳ５に進み、エンコードしたデータをディスクに書き込む。
【００３７】
ステップＳ６においてデータエンドと判定された場合は、取り込んだ動画像に関する情報をディスクの管理データ記録領域５１に書き込む（ステップＳ７）。さらにステップＳ４で取り込んだ代表静止画を時間長をもつ動画像データに変換する（ステップＳ８）。動画像データに変換された代表静止画はステップＳ９においてＭＰＥＧ−２に圧縮される。次にＭＰＥＧ−２に圧縮された代表静止画は動画像データとしてディスク記録媒体のタイトル（１）の領域Ｔ１に記録する（ステップＳ１０）。さらにこの代表静止画に関する情報をディスクの管理データ記録領域５１に書き込み（ステップＳ１１）、これにより記録が終了する。
【００３８】
以上の構成をとることにより、代表静止画を表示するには、代表静止画を動画像データとして記録しているタイトル（１）のみを読み出せば良い。従って、代表静止画をディスクのアドレスで示し、散在するデータに対してシーク動作が必要な従来例に比べて、ほとんどシーク動作が不要なので、高速に代表静止画データを取得し、表示させることができる。
【００３９】
また、代表静止画は動画像データと同じ形式で記録されているので、本発明を利用しないディスク再生装置であっても再生できる可能性が大きい。
【００４０】
次に一つ又は複数タイトルおよびそれらの代表静止画が記録されたディスク記録媒体の再生のための構成及び動作について説明する。ユーザがディスク記録媒体に記録されている動画像データを再生したい場合、どの動画像データを再生するか、選択するメニューを表示するのが望ましい。記録された動画像データを選択するメニューに表示すべき内容は、記録開始時間やタイトル名が想定されるが、動画像データ内の１画面を表示すればユーザはより直感的に再生したい動画像データを選択することができる。本ディスク記録再生装置においては、ディスクに記録された一つ又は複数の動画像データの代表静止画が領域Ｔ１に記録されているので、まず領域Ｔ１に記録された動画像データの通常再生を行うことにより、メニューに必要な代表静止画の情報を得ることができる。
また、領域Ｔ１に記録された動画像データの通常再生を行うことにより、代表静止画を順次再生して表示することによりスライドショーを行って、これをメニュー表示に代るものとして利用することもできる。
【００４１】
ユーザ入力部１１はユーザから例えば装置のリモコン３３等により与えられる要求を受け付ける機能を持つ。再生制御部１０はユーザ入力部からの指示を元にビデオデコーダ１４、ディスクドライブ９および信号切換スイッチ１８を制御し、再生を実行する。ビデオデコーダ１４はＭＰＥＧ−２圧縮された動画像データをビデオ信号に伸張する。メニュー生成器１５は入力された複数の代表静止画からディスクに記録された動画像データのメニューを作成する。出力切換スイッチ１９はビデオデコーダからの出力が代表静止画か、動画像データかによってその出力先の切換えを行う。即ち、ビデオデコーダ１４の出力が通常の動画像データの場合は１９ａに、代表静止画の場合は１９ｂに切換える。ビデオ出力部１２は伸張された動画像データをディスプレイ（図示しない）に表示出力し、メニュー出力部１３はメニュー生成器１５で生成されたディスクのメニューをディスプレイに表示出力する機能を有する。
【００４２】
次に再生動作について説明する。ユーザが動画像データを再生したい場合には、装置のリモコン３３等に用意されているメニュー表示のボタンを押すことによって、メニュー表示要求信号がユーザ入力部１１を経由して再生制御部１０に伝わる。再生制御部１０はディスクドライブ９を制御してディスク２０に記録されている管理データ５１やタイトルＴ１、Ｔ２、Ｔｎ等を読み出すが、メニューを表示する場合は、信号切換スイッチ１８をＳＷ１側にすることにより代表静止画が記録された領域Ｔ１を再生する。ディスクドライブ９によって読み取られた領域Ｔ１からのデータは、信号処理部１６よりビデオデコーダ１４に送られる。
【００４３】
ビデオデコーダ１４は再生制御部１０の指示により、ディスクドライブ９の信号処理部１６から出力された領域Ｔ１のデータをＭＰＥＧ−２から通常のビデオ信号に伸張する。この場合、ビデオデコーダ１４の出力が代表静止画であるので、出力切換スイッチ１９は、メニュー表示のため１９ｂ側に切換えられる。
【００４４】
メニュー生成器１５は入力された複数の動画像データの代表静止画を読み込み、ユーザが選択可能なメニューを構成し、メニュー出力部１３においてディスプレイ出力する。
【００４５】
このメニュー出力部は、例えば図４に示すように表示画面４０の画面分割を行って複数の代表静止画を同時に表示する（サムネイル表示する）ことにより行われる。この際、記録されているタイトル（２）乃至（ｎ）のすべてを同時に表示するようにしても良く、タイトルの数が多い場合には、図示の例のように表示画面４０を所定数の小画面４１乃至４４に分割して、タイトル（２）乃至（ｎ）を順に表示するようにしても良い。図示の例では、タイトルの数（ｎ−１）が小画面の数「４」よりも多い場合を想定している。
【００４６】
ユーザは表示されたメニューから再生したいタイトルをリモコン等によって選択する。例えばユーザがタイトル（２）を選択したなら、その選択結果はユーザ入力部１１を通じて再生制御部１０に送られ、再生制御部１０がディスクドライブ９の信号切換スイッチ１８をＳＷ２に切換え、さらにディスクドライブ９がタイトル（２）を読み出し、信号処理部１６に取り込む。取り込まれたタイトル（２）の動画像データはビデオデコーダ１４によってＭＰＥＧ−２に伸張される。
【００４７】
メニュー以外の動画像データを再生する場合には、出力切換スイッチ１９は１９ａ側に設定されるので、ビデオデコーダ１４からの出力はビデオ出力部１２を通じてディスプレイ出力される。
【００４８】
以上の構成をとることにより、ディスクに記録されている動画像データの代表静止画を見たい場合に、複数の代表静止画が記録されている特定の１タイトルを再生するだけで、ディスクに記録されている複数の動画像データの代表静止画を取得することができる。
【００４９】
上記の実施の形態においては、上記のように、動画像データ領域の一つを、他の動画像データの代表静止画を記録するための領域として使用している。即ち、図示の例では、タイトル（１）の記憶領域Ｔ１に、他の複数の動画像データの代表静止画を例えば１０秒間のＭＰＥＧ−２動画像として記録されている。
【００５０】
より具体的には、図１に示すように、タイトル（２）の代表静止画Ｒ２、タイトル（３）の代表静止画Ｒ３、…タイトル（ｎ）の代表静止画Ｒｎが順次記録されている。このようにタイトル（２）乃至（ｎ）の代表静止画から成るタイトル（１）は通常再生を行えば１０秒ごとに静止画が切り替わる動画像として再生される。即ちスライドショーを行うことができる。このようなスライドショーを、メニュー表示の代わりとして行い、ユーザにスライドショーを見てタイトル（２）乃至（ｎ）のいずれかを選択させるようにしても良い。
【００５１】
上記の実施の形態では、管理データの記録領域５１内のタイトル（１）のエントリポイント情報ＴＥ１は、領域Ｔ１内における、各タイトル（２）乃至（ｎ）の代表静止画が記録されている位置をエントリポイント（乃至はチャプタ）として記録している。従って、エントリポイントを順に高速再生すると言ったことも可能であり、検索がし易いと言う利点がある。
【００５２】
また、動画像のための領域の一つを代表静止画のための記憶領域として用いるので、ディスク上に動画像記録領域とは異なる専用領域を設けることなく、代表静止画を記録することができる。
【００５３】
なお、上記の実施の形態では、ＤＶＤ−ＶＲ規格およびＤＶＤ−Ｖｉｄｅｏ規格に沿った説明を行っているが、その他ディスク記録媒体に対する記録についても同様である。
【００５４】
また、上記の実施の形態においては、代表静止画を動画像データとして記録しているが、ＤＶＤ−Ｖｉｄｅｏ規格およびＤＶＤ−ＶＲ規格で規定されているサブピクチャとして記録してもよい。
【００５５】
さらに、上記の実施の形態では具体的な例としてＤＶＤ−ＶＲ規格を選んだために、動画像データおよび代表静止画を圧縮して記録する説明を行っているが、代表静止画を動画像データと同じ形式で記録することが重要なのであって、圧縮は必須ではない。
【００５６】
さらにまた、本実施の形態では代表静止画の生成およびディスクへの書き込みを動画像データの圧縮およびディスクへの書き込みと平行して行っているが、動画像データのディスクへの書き込みが終了した後に、動画像データをディスクから読み出して代表静止画を作成してもよい。
【００５７】
上記のように、代表静止画を記録する動画像データの領域Ｔ１を、初期化の際に予め、確保しておくことにより、ディスク上の物理的位置が固定され、検索性が向上すると言う利点があるが、この点は必須ではない。
【００５８】
さらに、動画像データの代表静止画が記録された領域を、それぞれのタイトルの動画像データの全体が記録された領域よりも、ディスク上で前方の位置（再生の際先にアクセスされる位置）に記録することにより、シーク距離およびシーク時間を短くすることができ、高速に代表静止画を出力することができ、また、本発明を採用していないディスク再生装置においてこのディスクを再生しようとした場合、最初に代表静止画をスライドショーの形態で表示することができ、あたかも目次があるように見えるので、使い勝手がよいと言う利点があるが、本発明はこれに限定されるものではない。
【００５９】
【発明の効果】
この発明は、複数の動画像データの代表静止画を一つの動画像データとして記録しているので、ディスク記録媒体に対して、シーク動作が少なくて済み、その結果、代表静止画を表示させるのに必要な時間が短縮することができる。
また、複数の動画像データの代表静止画を記録するフォーマットが動画像データと同一であり、かつ特殊なものでないので、本発明を採用していないディスク再生装置でも代表静止画が記録された動画像データをスライドショーの形態で再生させることができる。
【図面の簡単な説明】
【図１】この発明の実施の形態１におけるディスク構造を示す図である。
【図２】この発明の実施の形態１におけるディスク録画再生装置を示すブロック図である。
【図３】この発明の実施の形態１における手順を示すフローチャートである。
【図４】この発明の実施の形態１における代表静止画のメニュー表示の一例を示す図である。
【符号の説明】
１  ビデオ入力、  ２  ビデオエンコーダ、  ３  フレームメモリ、  ４  静止画抽出器、  ５  動画像変換器、  ６  静止画用エンコーダ、  ７  エントリポイント挿入器、  ８  録画制御部、  ９  ディスクドライブ、  １０  再生制御部、  １１  ユーザ入力部、  １２  ビデオ出力部、  １３  メニュー出力部、  １４  ビデオデコーダ、  １５  メニュー生成器、  １６  信号処理部、  １７  入力切換スイッチ、  １８  信号切換スイッチ、  １９  出力切換スイッチ、  ２０  ディスク、  ３１  初期化手段、  ５１  管理データ、  ６１  ディスク一般情報等、  ６２  タイトル情報、  ６３  タイムエントリ情報、  Ｔ１  タイトル（１）の記録領域、  Ｔ２  タイトル（２）の記録領域、  Ｔｎ  タイトル（ｎ）の記録領域、  Ｒ２  タイトル（２）の代表静止画、  Ｒ３  タイトル（３）の代表静止画、  Ｒｎ  タイトル（ｎ）の代表静止画、  Ｒｎ  予約領域、  ＴＥ１  タイトル（１）のタイムエントリ情報、  ＴＥ２  タイトル（２）のタイムエントリ情報、  ＥＲ２  エントリポイント（Ｅ１）、  ＥＲ３エントリポイント（Ｅ２）、  ＥＲｎ  エントリポイント（Ｅｍ）。
【図１】
2004328197.tif 000003
【図２】
2004328197.tif 000004
【図３】
2004328197.tif 000005
【図４】
2004328197.tif 000006